(57)【要約】      （修正有）【課題】無線携帯端末を利用して、パーソナルコンピュータや放送受信端末等において、ソフトウェアのセットアップ状態や、視聴許可番組の情報などの、ユーザ設定、変更などを行うことで、ユーザ設定を管理するユーザ設定管理装置を提供する。【解決手段】無線携帯端末６１０は、第２通信手段６１４により、ＩＤ情報とともに、被制御装置６３０を動作させるための要求信号を管理装置６２０へ送信し、管理装置は、無線携帯端末により、要求信号を受信すると、ＩＤ情報に基づき、所定の処理を行い、被制御装置の動作に関する応答信号を無線携帯端末へ送信し、無線携帯端末は、第２通信手段により、応答信号を受信すると、これに基づき、第１通信手段６１３により、被制御装置に対し制御信号を送信するか、または送信せず、被制御装置は、制御信号を受信すると、所定の動作を行う装置制御システムである。【選択図】図６
2011055487.tif 000002
【特許請求の範囲】
【請求項１】
第１無線回線にて通信を行う第１通信手段と、前記第１無線回線とは異なる第２無線回線にて通信を行う第２通信手段とを有する、一意に識別可能なＩＤ情報が付与された第４装置と、
前記第１無線回線にて前記第１通信手段と通信を行う第３通信手段を有する、前記第４装置からの命令により動作する第５装置と、
前記第２無線回線にて前記第２通信手段と通信を行う第４通信手段を有する、前記第５装置の動作に関する情報を、前記第４装置に指示する第６装置とを備え、
前記第４装置は、前記第２通信手段により、前記ＩＤ情報とともに、第５装置を動作させるための要求信号を前記第６装置へ送信し、
前記第６装置は、前記第４通信手段により、前記要求信号を受信すると、前記ＩＤ情報に基づき、所定の処理を行い、前記第５装置の動作に関する応答信号を前記第４装置へ送信し、
前記第４装置は、前記第２通信手段により、前記応答信号を受信すると、これに基づき、前記第１通信手段により、前記第５装置に対し制御信号を送信するか、または送信せず、
前記第５装置は、前記制御信号を受信すると、所定の動作を行う装置制御システム。
【請求項２】
前記第５装置にて、前記所定の動作の内容が特定された場合、前記第５装置は、前記第３通信手段より、前記所定の動作に関する情報を送信し、
前記第４装置は、前記動作情報を受信すると、前記第１通信手段により、前記要求信号を出力する請求項１に記載の装置制御システム。
【請求項３】
前記第５装置は、前記第３通信手段により、前記第５装置の所定の動作に関する情報が前記第４装置に送信し、
前記第４装置は、前記情報を受信し、この内容を確認すると、前記第１通信手段により、前記要求信号を出力する請求項１に記載の装置制御システム。
【請求項４】
前記第４装置は、前記第５装置の所定の動作の内容の特定を行った後、前記第１通信手段により、前記要求信号を出力する請求項１に記載の装置制御システム。
【請求項５】
第１無線回線にて通信を行う第１通信手段と、前記第１無線回線とは異なる第２無線回線にて通信を行う第２通信手段とを有する、一意に識別可能なＩＤ情報が付与された第４装置であって、
前記第１通信手段により、前記第１通信手段と通信を行う第３通信手段を有する、前記第４装置からの命令により動作する第５装置および、
前記第２通信手段により、前記第２通信手段と通信を行う第４通信手段を有する、前記第５装置の動作に関する情報を、前記第４装置に指示する第６装置と通信を行い、
前記第２通信手段により、前記ＩＤ情報とともに、前記第５装置を動作させるための要求信号を前記第６装置へ送信すると、
前記第６装置は、前記第４通信手段により、前記要求信号を受信すると、前記ＩＤ情報に基づき、所定の処理を行い、前記第５装置の動作に関する応答信号を送信し、
前記第２通信手段により、前記応答信号を受信すると、これに基づき、前記第１通信手段により、前記第５装置に対し制御信号を送信するか、または送信せず、
前記第５装置は、前記制御信号を受信すると、所定の動作を行う第４装置。
【請求項６】
前記第５装置にて、前記所定の動作の内容が特定され、前記第５装置が前記第３通信手段より、前記所定の動作に関する情報を送信した場合、
前記動作情報を受信すると、前記第１通信手段により、前記要求信号を出力する請求項５に記載の第４装置。
【請求項７】
前記第５装置の前記第３通信手段により、前記第５装置の所定の動作に関する情報が送信された場合、
前記情報を受信し、この内容を確認すると、前記第１通信手段により、前記要求信号を出力する請求項５に記載の第４装置。
【請求項８】
前記第５装置の所定の動作の内容の特定を行った後、前記第１通信手段により、前記要求信号を出力する請求項５に記載の第４装置。
【請求項９】
第１無線回線にて通信を行う第１通信手段と、前記第１無線回線とは異なる第２無線回線にて通信を行う第２通信手段とを有する、一意に識別可能なＩＤ情報が付与された第４装置と、前記第１通信手段と通信可能な第３通信手段を用いて通信を行い、前記第４装置からの命令により動作する第５装置であって、
前記第４装置は、前記第５装置の動作に関する情報を、前記第４装置に指示する、前記第２無線回線にて前記第２通信手段と通信を行う第４通信手段を有する第６装置と通信を行い、
前記第４装置は、前記第２通信手段により、前記ＩＤ情報とともに、第５装置を動作させるための要求信号を前記第６装置へ送信し、
前記第６装置は、前記第４通信手段により、前記要求信号を受信すると、前記ＩＤ情報に基づき、所定の処理を行い、前記第５装置の動作に関する応答信号を前記第４装置へ送信し、
前記第４装置は、前記第２通信手段により、前記応答信号を受信すると、これに基づき、前記第１通信手段により、制御信号を送信するか、または送信せず、
前記制御信号を受信すると、所定の動作を行う第５装置。
【請求項１０】
前記所定の動作の内容が特定された場合、前記第３通信手段より、前記所定の動作に関する情報を送信し、
前記第４装置は、前記動作情報を受信すると、前記第１通信手段により、前記要求信号を出力する請求項９に記載の第５装置。
【請求項１１】
前記第３通信手段により、前記第５装置の所定の動作に関する情報を前記第４装置に送信し、
前記第４装置は、前記情報を受信し、この内容を確認すると、前記第１通信手段により、前記要求信号を出力する請求項９に記載の第５装置。
【請求項１２】
前記第４装置が、前記所定の動作の内容の特定を行った後、前記第１通信手段により、前記要求信号を出力する請求項９に記載の第５装置。
【請求項１３】
第１無線回線にて通信を行う第１通信手段と、前記第１無線回線とは異なる第２無線回線にて通信を行う第２通信手段とを有する、一意に識別可能なＩＤ情報が付与された第４装置と、
前記第１無線回線にて前記第１通信手段と通信を行う第３通信手段を有する、前記第４装置からの命令により動作する第５装置と、
前記第２無線回線にて前記第２通信手段と通信を行う第４通信手段を有する、前記第５装置の動作に関する情報を、前記第４装置に指示する第６装置とを用い、
前記第４装置が、前記第２通信手段により、前記ＩＤ情報とともに、第５装置を動作させるための要求信号を前記第６装置へ送信する工程と、
前記第６装置が、前記第４通信手段により、前記要求信号を受信すると、前記ＩＤ情報に基づき、所定の処理を行い、前記第５装置の動作に関する応答信号を前記第４装置へ送信する工程と、
前記第４装置が、前記第２通信手段により、前記応答信号を受信すると、これに基づき、前記第１通信手段により、前記第５装置に対し制御信号を送信するか、または送信しない工程と、
前記第５装置が、前記制御信号を受信すると、所定の動作を行う工程とを備えた装置制御方法。
【請求項１４】
前記第５装置にて、前記所定の動作の内容が特定された場合、前記第５装置が前記第３通信手段より、前記所定の動作に関する情報を送信し、
前記第４装置は、前記動作情報を受信すると、前記第１通信手段により、前記要求信号を出力する請求項１３に記載の装置制御方法。
【請求項１５】
前記第５装置は、前記第３通信手段により、前記第５装置の所定の動作に関する情報が前記第４装置に送信し、
前記第４装置は、前記情報を受信し、この内容を確認すると、前記第１通信手段により、前記要求信号を出力する請求項１３に記載の装置制御方法。
【請求項１６】
前記第４装置は、前記第５装置の所定の動作の内容の特定を行った後、前記第１通信手段により、前記要求信号を出力する請求項１３に記載の装置制御方法。
【請求項１７】
請求項１に記載の装置制御システムの、第１無線回線にて通信を行う第１通信手段と、前記第１無線回線とは異なる第２無線回線にて通信を行う第２通信手段とを有する、一意に識別可能なＩＤ情報が付与された第４装置と、前記第１無線回線にて前記第１通信手段と通信を行う第３通信手段を有する、前記第４装置からの命令により動作する第５装置と、前記第２無線回線にて前記第２通信手段と通信を行う第４通信手段を有する、前記第５装置の動作に関する情報を、前記第４装置に指示する第６装置との全部または一部としてコンピュータを機能させるためのプログラム。
【請求項１８】
請求項５に記載の一意に識別可能なＩＤ情報が付与された第４装置の全部または一部としてコンピュータを機能させるためのプログラム。
【請求項１９】
請求項９に記載の第４装置と通信を行い、前記第４装置からの命令により動作する第５装置の全部または一部としてコンピュータを機能させるためのプログラム。
【請求項２０】
請求項１３に記載の装置制御方法の、前記第４装置が、前記第２通信手段により、前記ＩＤ情報とともに、第５装置を動作させるための要求信号を前記第６装置へ送信する工程と、前記第６装置が、前記第４通信手段により、前記要求信号を受信すると、前記ＩＤ情報に基づき、所定の処理を行い、前記第５装置の動作に関する応答信号を前記第４装置へ送信する工程と、前記第４装置が、前記第２通信手段により、前記応答信号を受信すると、これに基づき、前記第１通信手段により、前記第５装置に対し制御信号を送信するか、または送信しない工程と、前記第５装置が、前記制御信号を受信すると、所定の動作を行う工程との全部または一部をコンピュータに実行させるためのプログラム。
【発明の詳細な説明】
【技術分野】
【０００１】
本発明は、パーソナルコンピュータや放送受信端末等の情報処理装置における、ソフトウェアのセットアップ状態や、視聴許可番組の情報などのユーザ設定やその変更などの動作環境設定を行うことが可能な無線携帯端末や、無線携帯端末を利用して、放送受信端末自動販売機などの被制御装置の制御を行う装置制御システム等に関するものである。
【背景技術】
【０００２】
従来のデバイス管理装置としては、ユーザ適応型可変環境システムがある。図１１は、従来の技術によるユーザ適応型可変環境システムの構成図である。図に示すように、ユーザ適応型可変環境システム１１０１は、ユーザ認識部１１０２を有する計算機１１０３と、ユーザ認識部１１０２に情報を入力する情報記録媒体１１０４とを備えている。計算器１１０３は演算部１１０３ａ、記憶部１１０３ｂ、ディスプレイ１１０３ｄ、キーボード１１０３ｋおよびマウス１１０３ｍを有しており、キーボード１１０３ｋおよびマウス１１０３ｍから入力される情報を処理し、ディスプレイ１１０３ｄに表示する等の処理を行う。また、ユーザ認識部１１０２は、情報読み取り部１１０２ｒと制御装置１１０２ｐとを備え、情報記憶媒体１１０４に対応して、情報記憶媒体１１０４を挿入口１１０２ａに挿入できるようになっている。また、情報記憶媒体１１０４にはユーザ環境情報１１０５が設定されている。ユーザ環境情報１１０５は、個々のシステムの利用者毎に設定された情報である。
【０００３】
このようなユーザ適応型可変環境システム１１０１によれば、ユーザがそれぞれに応じて設定したユーザ環境情報１１０５を格納した情報記録媒体４をユーザ認識部１１０２に挿入し、情報読み取り部１１０２ｒにて読み取らせ、これに基づき制御装置１１０２ｐが、計算器１１０３の環境をユーザに適したように設定することができる。
【０００４】
この従来例によれば、不特定多数の人に用いられるコンピュータシステムに対し、個々のユーザの個性や好みに対応して使用環境あるいは設定環境を、自動的に変更されるユ−ザ適応型可変環境システムを提供することが可能である。
【発明の概要】
【発明が解決しようとする課題】
【０００５】
しかし、上記のユーザ適応型可変環境システムでは、以下のような問題があった。
【０００６】
本従来例では、ユーザ個人を特定するユーザ環境情報１１０５の認証に、情報記憶媒体１１０４として、ＩＣカード等の専用のを用い、これをユーザ認識部１１０２にセットすると、ユーザ認識部１１０２および計算器１１０３側がユーザ環境情報１１０５を読み取り、該ユーザに応じた使用環境を設定するようにしているが、このような情報記憶媒体１１０４からはユーザ環境情報１１０５の取得、複製が容易であり、秘匿性に問題があった。また、ユーザはユーザ環境情報１１０５を保持した情報記録媒体１１０４を常に携帯しておく必要があった。また、ユーザはシステムに環境を設定する際、挿入口１１０２ａのような専用のインタフェースに情報記録媒体１１０５を物理的にセットする必要があり、操作が煩わしいものとなっていた。
【０００７】
本発明は、かかる点に鑑みてなされたものであり、ユーザ個人を特定する情報を秘匿性を保ちながら容易に保持可能であり、簡便に操作することが可能な無線形態端末として用いることが可能な端末を得ることを目的とする。
【０００８】
また、本発明は、ユーザ個人を特定する情報を秘匿性を保ちながら容易に保持可能であり、簡便に操作することが可能な無線携帯端末等の装置により、制御対象となる装置に所定の動作を行わせることが可能な装置制御システム等を得ることを目的とする。
【課題を解決するための手段】
【０００９】
上記の目的を達成するために、第１の本発明は、ユーザ毎に異なる動作環境が設定可能な第１装置と無線通信を行う、一意に識別可能なＩＤ情報が設定された第２装置であって、
前記第１装置の動作環境は、前記第２装置のＩＤ情報に関連づけられており、
前記第１装置は、前記第２装置と通信することにより、前記ＩＤ情報を取得し、前記ＩＤ情報に基づいた動作環境を設定するものである第２装置である。
【００１０】
また、第２の本発明は、ユーザ毎に異なる動作環境が設定可能な第１装置と、
前記第１装置と無線通信を行う、一意に識別可能なＩＤ情報が設定された第２装置とを備え、
前記第２装置は、前記ユーザ毎の、前記ＩＤ情報に関連づけられた動作環境設定を記憶するユーザ設定記憶部を有し、
前記第１装置と通信することにより、前記ユーザ設定記憶部より、前記ＩＤ情報に基づく所定のユーザの動作環境設定を呼び出し、前記第１装置へ送信するものである装置動作環境設定システムである。
【００１１】
また、第３の本発明は、ユーザ毎に異なる動作環境が設定可能な第１装置と、前記第１装置と無線通信を行う、一意に識別可能なＩＤ情報が設定された第２装置とを備え、
前記第１装置は、前記ユーザ毎の、前記ＩＤ情報に関連づけられた動作環境設定を記憶するユーザ設定記憶部を有し、
前記第２装置と通信することにより前記ＩＤ情報を取得し、前記ＩＤ情報に基づき、前記ユーザ設定記憶部より所定のユーザの動作環境設定を呼び出すものである装置動作環境設定システムである。
【００１２】
また、第４の本発明は、ユーザ毎に異なる動作環境が設定可能な第１装置と、
前記第１装置と無線通信を行う、一意に識別可能なＩＤ情報が設定された第２装置と、
前記第１装置と無線通信を行う、前記ユーザ毎の前記ＩＤ情報に関連づけられた動作環境設定を記憶するユーザ設定記憶部を有する第３装置とを備え、
前記第１装置は、前記第２装置と通信することにより前記ＩＤ情報を取得し、
前記ＩＤ情報に基づき、前記第３装置と通信して、前記ユーザ設定記憶部より所定のユーザの動作環境設定を呼び出すものである装置動作環境設定システムである。
【００１３】
また、第５の本発明は、前記第１装置はコンピュータである上記本発明である。
【００１４】
また、第６の本発明は、前記第１装置は有料放送の受信端末であって、
前記動作環境は、前記有料放送の、前記ユーザの契約毎に異なる受信設定である上記本発明である。
【００１５】
また、第７の本発明は、第１無線回線にて通信を行う第１通信手段と、前記第１無線回線とは異なる第２無線回線にて通信を行う第２通信手段とを有する、一意に識別可能なＩＤ情報が付与された第４装置と、
前記第１無線回線にて前記第１通信手段と通信を行う第３通信手段を有する、前記第４装置からの命令により動作する第５装置と、
前記第２無線回線にて前記第２通信手段と通信を行う第４通信手段を有する、前記第５装置の動作に関する情報を、前記第４装置に指示する第６装置とを備え、
前記第４装置は、前記第２通信手段により、前記ＩＤ情報とともに、第５装置を動作させるための要求信号を前記第６装置へ送信し、
前記第６装置は、前記第４通信手段により、前記要求信号を受信すると、前記ＩＤ情報に基づき、所定の処理を行い、前記第５装置の動作に関する応答信号を前記第４装置へ送信し、
前記第４装置は、前記第２通信手段により、前記応答信号を受信すると、これに基づき、前記第１通信手段により、前記第５装置に対し制御信号を送信するか、または送信せず、
前記第５装置は、前記制御信号を受信すると、所定の動作を行う装置制御システムである。
【００１６】
また、第８の本発明は、前記第５装置にて、前記所定の動作の内容が特定された場合、前記第５装置は、前記第３通信手段より、前記所定の動作に関する情報を送信し、
前記第４装置は、前記動作情報を受信すると、前記第１通信手段により、前記要求信号を出力する上記本発明である。
【００１７】
また、第９の本発明は、前記第５装置は、前記第３通信手段により、前記第５装置の所定の動作に関する情報が前記第４装置に送信し、
前記第４装置は、前記情報を受信し、この内容を確認すると、前記第１通信手段により、前記要求信号を出力する上記本発明である。
【００１８】
また、第１０の本発明は、前記第４装置は、前記第５装置の所定の動作の内容の特定を行った後、前記第１通信手段により、前記要求信号を出力する上記本発明である。
【００１９】
また、第１１の本発明は、第１無線回線にて通信を行う第１通信手段と、前記第１無線回線とは異なる第２無線回線にて通信を行う第２通信手段とを有する、一意に識別可能なＩＤ情報が付与された第４装置であって、
前記第１通信手段により、前記第１通信手段と通信を行う第３通信手段を有する、前記第４装置からの命令により動作する第５装置および、
前記第２通信手段により、前記第２通信手段と通信を行う第４通信手段を有する、前記第５装置の動作に関する情報を、前記第４装置に指示する第６装置と通信を行い、
前記第２通信手段により、前記ＩＤ情報とともに、前記第５装置を動作させるための要求信号を前記第６装置へ送信すると、
前記第６装置は、前記第４通信手段により、前記要求信号を受信すると、前記ＩＤ情報に基づき、所定の処理を行い、前記第５装置の動作に関する応答信号を送信し、
前記第２通信手段により、前記応答信号を受信すると、これに基づき、前記第１通信手段により、前記第５装置に対し制御信号を送信するか、または送信せず、
前記第５装置は、前記制御信号を受信すると、所定の動作を行う第４装置である。
【００２０】
また、第１２の本発明は、前記第５装置にて、前記所定の動作の内容が特定され、前記第５装置が前記第３通信手段より、前記所定の動作に関する情報を送信した場合、
前記動作情報を受信すると、前記第１通信手段により、前記要求信号を出力する上記本発明である。
【００２１】
また、第１３の本発明は、前記第５装置の前記第３通信手段により、前記第５装置の所定の動作に関する情報が送信された場合、
前記情報を受信し、この内容を確認すると、前記第１通信手段により、前記要求信号を出力する上記本発明である。
【００２２】
また、第１４の本発明は、前記第５装置の所定の動作の内容の特定を行った後、前記第１通信手段により、前記要求信号を出力する上記本発明である。
【００２３】
また、第１５の本発明は、第１無線回線にて通信を行う第１通信手段と、前記第１無線回線とは異なる第２無線回線にて通信を行う第２通信手段とを有する、一意に識別可能なＩＤ情報が付与された第４装置と、前記第１通信手段と通信可能な第３通信手段を用いて通信を行い、前記第４装置からの命令により動作する第５装置であって、
前記第４装置は、前記第５装置の動作に関する情報を、前記第４装置に指示する、前記第２無線回線にて前記第２通信手段と通信を行う第４通信手段を有する第６装置と通信を行い、
前記第４装置は、前記第２通信手段により、前記ＩＤ情報とともに、第５装置を動作させるための要求信号を前記第６装置へ送信し、
前記第６装置は、前記第４通信手段により、前記要求信号を受信すると、前記ＩＤ情報に基づき、所定の処理を行い、前記第５装置の動作に関する応答信号を前記第４装置へ送信し、
前記第４装置は、前記第２通信手段により、前記応答信号を受信すると、これに基づき、前記第１通信手段により、制御信号を送信するか、または送信せず、
前記制御信号を受信すると、所定の動作を行う第５装置である。
【００２４】
また、第１６の本発明は、前記所定の動作の内容が特定された場合、前記第３通信手段より、前記所定の動作に関する情報を送信し、
前記第４装置は、前記動作情報を受信すると、前記第１通信手段により、前記要求信号を出力する上記本発明である。
【００２５】
また、第１７の本発明は、前記第３通信手段により、前記第５装置の所定の動作に関する情報を前記第４装置に送信し、
前記第４装置は、前記情報を受信し、この内容を確認すると、前記第１通信手段により、前記要求信号を出力するで上記本発明ある。
【００２６】
また、第１８の本発明は、前記第４装置が、前記所定の動作の内容の特定を行った後、前記第１通信手段により、前記要求信号を出力する上記本発明である。
【００２７】
また、第１９の本発明は、第１無線回線にて通信を行う第１通信手段と、前記第１無線回線とは異なる第２無線回線にて通信を行う第２通信手段とを有する、一意に識別可能なＩＤ情報が付与された第４装置と、
前記第１無線回線にて前記第１通信手段と通信を行う第３通信手段を有する、前記第４装置からの命令により動作する第５装置と、
前記第２無線回線にて前記第２通信手段と通信を行う第４通信手段を有する、前記第５装置の動作に関する情報を、前記第４装置に指示する第６装置とを用い、
前記第４装置が、前記第２通信手段により、前記ＩＤ情報とともに、第５装置を動作させるための要求信号を前記第６装置へ送信する工程と、
前記第６装置が、前記第４通信手段により、前記要求信号を受信すると、前記ＩＤ情報に基づき、所定の処理を行い、前記第５装置の動作に関する応答信号を前記第４装置へ送信する工程と、
前記第４装置が、前記第２通信手段により、前記応答信号を受信すると、これに基づき、前記第１通信手段により、前記第５装置に対し制御信号を送信するか、または送信しない工程と、
前記第５装置が、前記制御信号を受信すると、所定の動作を行う工程とを備えた装置制御方法である。
【００２８】
また、第２０の本発明は、前記第５装置にて、前記所定の動作の内容が特定された場合、前記第５装置が前記第３通信手段より、前記所定の動作に関する情報を送信し、
前記第４装置は、前記動作情報を受信すると、前記第１通信手段により、前記要求信号を出力する上記本発明である。
【００２９】
また、第２１の本発明は、前記第５装置は、前記第３通信手段により、前記第５装置の所定の動作に関する情報が前記第４装置に送信し、
前記第４装置は、前記情報を受信し、この内容を確認すると、前記第１通信手段により、前記要求信号を出力する上記本発明である。
【００３０】
また、第２２の本発明は、前記第４装置は、前記第５装置の所定の動作の内容の特定を行った後、前記第１通信手段により、前記要求信号を出力する上記本発明である。
【００３１】
また、第２３の本発明は、無線通信を行う第７装置と、前記第７装置のオン・オフを管理するための第８装置とを備え、
前記第８装置が、前記第７装置から所定の範囲内に位置している場合は、前記第７装置の動作状態がオンとなり、
前記第７装置から前記所定の範囲外に位置している場合は、前記第７装置の動作状態がオフとなることを特徴とする動作管理システムである。
【００３２】
また、第２４の本発明は、無線通信を行う第７装置の動作のオン・オフを管理する第８装置であって、
前記第７装置から所定の範囲内に位置している場合は前記第７装置の動作状態をオンとし、
前記第７装置から前記所定の範囲外に位置している場合は前記第７装置の動作状態をオフとするような制御を行う制御手段を備えた第８装置である。
【００３３】
また、第２５の本発明は、前記制御手段は、所定の電波を発信する発振器を備え、
前記第７装置は、前記所定の電波を受信できる間はその動作がオンとなり、
前記所定の電波を受信できないとその動作状態がオフとなる第２４の本発明の第８装置である。
【００３４】
また、第２６の本発明は、前記第７装置から動力の供給を受ける上記本発明である。
【００３５】
また、第２７の本発明は、第２または第３の本発明の装置動作環境設定システムの、ユーザ毎に異なる動作環境が設定可能な第１装置と、前記第１装置と無線通信を行う、一意に識別可能なＩＤ情報が設定された第２装置との全部または一部としてコンピュータを機能させるためのプログラムである。
【００３６】
また、第２８の本発明は、第４の本発明の装置動作環境設定システムの、ユーザ毎に異なる動作環境が設定可能な第１装置と、前記第１装置と無線通信を行う、一意に識別可能なＩＤ情報が設定された第２装置と、前記第１装置と無線通信を行う、前記ユーザ毎の前記ＩＤ情報に関連づけられた動作環境設定を記憶するユーザ設定記憶部を有する第３装置との全部または一部としてコンピュータを機能させるためのプログラムである。
【００３７】
また、第２９の本発明は、第７の本発明の装置制御システムの、第１無線回線にて通信を行う第１通信手段と、前記第１無線回線とは異なる第２無線回線にて通信を行う第２通信手段とを有する、一意に識別可能なＩＤ情報が付与された第４装置と、前記第１無線回線にて前記第１通信手段と通信を行う第３通信手段を有する、前記第４装置からの命令により動作する第５装置と、前記第２無線回線にて前記第２通信手段と通信を行う第４通信手段を有する、前記第５装置の動作に関する情報を、前記第４装置に指示する第６装置との全部または一部としてコンピュータを機能させるためのプログラムである。
【００３８】
また、第３０の本発明は、第１１の本発明の、一意に識別可能なＩＤ情報が付与された第４装置の全部または一部としてコンピュータを機能させるためのプログラムである。
【００３９】
また、第３１の本発明は、第１５の本発明の第４装置と通信を行い、前記第４装置からの命令により動作する第５装置の全部または一部としてコンピュータを機能させるためのプログラムである。
【００４０】
また、第３２の本発明は、第１９の本発明の装置制御方法の、前記第４装置が、前記第２通信手段により、前記ＩＤ情報とともに、第５装置を動作させるための要求信号を前記第６装置へ送信する工程と、前記第６装置が、前記第４通信手段により、前記要求信号を受信すると、前記ＩＤ情報に基づき、所定の処理を行い、前記第５装置の動作に関する応答信号を前記第４装置へ送信する工程と、前記第４装置が、前記第２通信手段により、前記応答信号を受信すると、これに基づき、前記第１通信手段により、前記第５装置に対し制御信号を送信するか、または送信しない工程と、前記第５装置が、前記制御信号を受信すると、所定の動作を行う工程との全部または一部をコンピュータに実行させるためのプログラムである。
【００４１】
また、第３３の本発明は、第２３の本発明の動作管理システムの、無線通信を行う第７装置と、前記第７装置のオン・オフを管理するための第８装置との全部または一部をコンピュータに実行させるためのプログラム。
【００４２】
また、第３４の本発明は、第２４の本発明の第８装置の、前記第７装置から所定の範囲内に位置している場合は前記第７装置の動作状態をオンとし、
前記第７装置から前記所定の範囲外に位置している場合は前記第７装置の動作状態をオフとするような制御を行う制御手段の全部または一部をコンピュータに実行させるためのプログラムである。
【発明の効果】
【００４３】
以上、説明したように、本発明によれば、ソフトウェアのセットアップ状態や、視聴許可番組の情報などの、ユーザ設定、変更などを行うことにより、情報処理を行う装置の動作環境のユーザ毎の設定の秘匿性および簡便性を高めることが可能となる。
【００４４】
また、本発明によれば、ユーザ個人を特定する情報を秘匿性を保ちながら容易に保持可能であり、制御対象となる装置を簡便に操作することが装置制御システムおよび方法等が得られる。
【図面の簡単な説明】
【００４５】
【図１】本発明の実施の形態１におけるユーザ設定管理装置の構成図
【図２】本発明の実施の形態１におけるユーザ設定管理装置の他の構成例を示す図
【図３】本発明の実施の形態２におけるユーザ設定管理装置の構成図
【図４】本発明の実施の形態２におけるユーザ設定管理装置の他の構成例を示す図
【図５】本発明の実施の形態３におけるユーザ設定管理装置の構成図
【図６】本発明の実施の形態４におけるプリファレンス情報管理システムの構成図
【図７】本発明の実施の形態４におけるプリファレンス情報管理システムの動作例１を説明するためのタイムチャート
【図８】本発明の実施の形態４におけるプリファレンス情報管理システムの動作例２を説明するためのタイムチャート
【図９】本発明の実施の形態４におけるプリファレンス情報管理システムの動作例３を説明するためのタイムチャート
【図１０】本発明の実施の形態５における動作管理装置の構成図
【図１１】従来の技術によるユーザ適応型可変環境システムの構成図
【発明を実施するための形態】
【００４６】
以下、本発明の実施の形態を、図面を参照して説明する。
【００４７】
（実施の形態１）
以下、本発明の実施の形態１におけるユーザ設定管理装置について、図面を参照しながら説明する。
【００４８】
図１は、本発明の実施の形態におけるユーザ設定管理装置の構成図である。図１において、ユーザ設定管理装置１００は、無線携帯端末１１０とコンピュータシステム１２０とから構成され、無線携帯端末１１０において、ユーザ設定記憶部１１１はユーザ設定情報を記憶するための手段、制御部ａ１１２はコンピュータシステム１２０に対しユーザ設定情報を出力するための手段、無線通信部ａ１１３はユーザ設定情報を無線電波として出力するための手段である。また、コンピュータシステム１２０において、無線通信部ｂ１２１は無線携帯端末１１０の無線通信部ａ１１３と通信を行い、ユーザ設定情報を取得するための手段、制御部ｂ１２２は、ユーザ設定情報をユーザ環境設定部１２３に出力する動作他の制御を行う手段、ユーザ環境設定部１２３は、ユーザ設定情報に基づき、コンピュータシステム１２０のユーザ設定を設定、変更する手段である。
【００４９】
このとき、上記の構成において、無線携帯端末１１０においては、ユーザ設定記憶部１１１に、ユーザのコンピュータ操作環境の設定を行うためのユーザ情報が、該無線携帯端末のユーザ個人を特定できるＩＤ情報とともに記憶されている。また、無線通信部ａ１１３およびｂ１２１はどちらが先に発呼を行う発信元であってもよい。無線通信部ａ１１３およびｂ１２１は、直接には公衆電話回線のような有線電話網を使用してもよいし、携帯電話網を経由して無線携帯端末に通信ができるものであってもよい。また、ｂｌｕｅｔｏｏｔｈのよう短距離無線ネットワークであってもよい。また、制御部ａ１１２、ｂ１２１は、ユーザからの指示を受け取ることができるインタフェース機能を有する。
【００５０】
なお、上記の構成において、ユーザ設定管理装置１００は本発明の装置動作環境設定システムの一例であり、コンピュータシステム１２０は本発明の第１装置の一例であり、無線携帯端末１１０は本発明の第２装置の一例である。
【００５１】
以上のような構成を有する、本発明の実施の形態１によるユーザ設定管理装置の動作を、以下に説明する。
【００５２】
ユーザは、無線携帯端末１１０から、コンピュータシステム１２０を操作するためのユーザ情報の設定を指示する。この設定の指示は制御部ａ１１２によって受け取られる。
【００５３】
制御部ａ１１２は、ユーザ設定情報を、ＩＤ情報とともにユーザ設定記憶部１１１より読み出し、無線通信部ａ１１３を介して、コンピュータシステム１２０へ送信する。このとき、制御部ａ１１２は、ユーザ情報設定部より読み出されたユーザ設定情報はいったん暗号化してから、無線通信部ａ１１３より、コンピュータシステム１２０へ出力するようにしても良い。
【００５４】
次に、コンピュータシステム１２０側において、無線携帯端末１１０から送信されたユーザ設定情報は、無線通信部ｂ１２１により受信されると、ユーザ環境設定部１２３に渡される。ユーザ環境設定部は、制御部ｂ１２２から取得したユーザ設定情報に基づき、コンピュータシステム１２０の稼働環境を設定する。
【００５５】
ユーザ環境設定情報は、ユーザ環境設定部１２３に記憶する際に初めて暗号化しておいてもよく、この場合は、暗号化しない平文での無線通信が可能になる。
【００５６】
また、最初のユーザのユーザ設定指示を制御部ｂ１２２が受け取る構成とすることもできる。この場合は、制御部ｂ１２２が、ユーザの指示を受け取ると、ユーザ設定の読み出しコマンドが、制御部ａ１１２に送信され、制御部ｂ１２２は、これをユーザからのユーザ情報の設定指示とみなして動作する。
【００５７】
次に、本実施の形態のユーザ設定管理装置の他の構成例を図２に示す。図２は、図２において、ユーザ設定管理装置２００は、無線携帯端末２１０と有料放送受信端末２２０とから構成され、無線携帯端末２２０において、視聴許可情報記憶部２１１は視聴許可情報を記憶するための手段、制御部ｃ２１２は有料放送受信端末２２０に対し視聴許可情報を出力するための手段、無線通信部ｃ２１３は視聴許可情報を無線電波として出力するための手段である。また、有料放送受信端末２２０において、無線通信部ｄ２２２は無線携帯端末２１０の無線通信部ｃ２１３と通信を行い、情報を取得するための手段、制御部ｄ２２２は、視聴許可情報を視聴許可設定部２２３に出力する動作他の制御を行う手段、視聴許可設定部２２３は、ユーザ設定情報に基づき、有料情報受信端末２２０の視聴許可状態を制御する手段である。ただし、図において、有料放送受信端末２２０の、番組受信や視聴の動作に関する部分は省略した。
【００５８】
以上のように構成された本実施の形態のユーザ設定管理装置２００は、有料放送受信端末１２０の、ユーザ個人の有料放送会社との視聴契約に基づく視聴許可情報が、図１に示したユーザ設定管理装置１００において無線携帯端末１１０に設定されていた、コンピュータシステム１２０をユーザ個人に特化して用いるためのユーザ設定情報に相当するようになっている。したがって、その動作は実質的に図１のユーザ設定管理装置１００と同一である。すなわち、無線携帯端末１１０に記憶されていた、有料放送を視聴するための視聴許可情報が、無線通信部ｃ２１３から無線通信部ｄ２２２へ転送されることで有料放送受信端末２２０に取得され、視聴許可設定部２２３は、取得した視聴許可情報に基づき、有料放送受信端末２２０側にて所定の有料放送が受信できるような環境を設定する。
【００５９】
従来例においては、ユーザ設定情報や視聴許可情報といった、個々のユーザに特化した情報は、記録媒体の形で保持され、コンピュータ側に設けられた記録媒体接続用のインタフェースを介して直接情報のアクセスが行われることにより、前記個々のユーザに応じた動作環境が設定されていたのに対し、上記の本実施の形態においては、個々のユーザに特化した情報を、無線携帯端末に保持しておき、無線通信によってコンピュータシステム１２０または有料放送受信端末２２０側によって情報のアクセスが行われるようにしている。
【００６０】
ＩＣカード等の記録媒体に比して、無線携帯端末から、ユーザに関する情報の取得や複製を行うことは難しいため、より高い秘匿性を確保することができる。また、無線携帯端末はユーザにより携帯されるのが常態であるため、ユーザは特別な意識なくしてユーザ情報を常に保持おくことができる。また、環境設定は無線通信により行われるため、操作の煩わしさを解消することができる。
【００６１】
視聴許可情報は、通信時に暗号化がなされるが、視聴許可情報記憶部に記憶するさいに暗号化しておいてもよく、この場合は、暗号化しない平文での無線通信が可能になる。
【００６２】
また、最初のユーザのユーザ設定指示を制御部ｄ２２２が受け取る構成とすることもできる。この場合は、制御部１０８が、ユーザの指示を受け取ると、ユーザ設定の読み出しコマンドが、制御部２１２ｃに送信され、制御部ｄ２２２は、これをユーザからの視聴許可の設定指示とみなして動作する。
【００６３】
（実施の形態２）
図３は、本発明の実施の形態におけるユーザ設定管理装置の構成図である。図３において、図１と同一部または相当部は同一符号を付し、詳細な説明は省略する。また、ユーザ設定管理装置３００は、無線携帯端末３１０とコンピュータシステム３２０とから構成され、無線携帯端末３１０において、ユーザ識別情報記憶部３１１はユーザ識別情報を記憶するための手段であり、コンピュータシステム３２０において、ユーザ設定記憶部１１１はユーザ設定情報を記憶するための手段、ユーザ環境設定部１２３は、ユーザ設定情報に基づき、コンピュータシステム１０３のユーザ設定を設定、変更する手段である。
【００６４】
本実施の形態のユーザ設定管理装置３２０は、実施の形態１のユーザ設定管理装置１００においては、携帯無線端末側に設けられていたユーザ設定記憶部１が、コンピュータシステム側に設けられており、その代わりにユーザ識別情報記憶部３１１を備えた構成を有している。また、ユーザ識別情報記憶部３１１は、ユーザのコンピュータ操作環境の設定を行うためのユーザ情報を識別するためのユーザ識別情報が、該無線携帯端末のユーザ個人を特定できるＩＤ情報とともに記憶されている。ただし、上記の説明において、ユーザ設定管理装置３２０は、第３の本発明の装置動作環境設定システムであり、コンピュータシステム３２０は本発明の第１装置、無線端末３１０は本発明の第２装置のそれぞれ一例である。
【００６５】
以上のような構成を有する、本発明の実施の形態２によるユーザ設定管理装置の動作を、以下に説明する。
【００６６】
ユーザは、無線携帯端末３１０から、コンピュータシステム３２０を操作するためのユーザ識別情報の設定を指示する。この設定の指示は制御部ａ１１２によって受け取られる。
【００６７】
制御部ａ１１２は、ユーザ識別設定情報を、ＩＤ情報とともにユーザ設定記憶部１１１より読み出し、無線通信部ａ１１３を介して、コンピュータシステム３２０へ送信する。このとき、制御部ａ１１２は、ユーザ識別情報記憶部３１１より読み出されたユーザ識別情報はいったん暗号化してから、無線通信部ａ１１３より、コンピュータシステム３２０へ出力するようにしても良い。
【００６８】
次に、コンピュータシステム３２０側において、無線携帯端末３１０から送信されたユーザ識別情報は、無線通信部ｂ１２１により受信されると、制御部ｂ１２２に入力される。制御部ｂ１２２は、ユーザ識別情報を取得すると、これに基づき、ユーザ設定記憶部１１１を参照する。ユーザ設定記憶部１１１には、複数のユーザ設定情報が記憶されているが、制御部ｂ１２２は、自らが取得したユーザ識別情報に対応する所定のユーザ設定情報を選択し、これを取得すると、ユーザ環境設定部１２３へ出力する。
【００６９】
ユーザ環境設定部１２３は、制御部ｂ１２２から取得したユーザ設定情報に基づき、コンピュータシステム３２０の稼働環境を設定する。
【００７０】
本実施の形態においては、ユーザ設定記憶部１１１を無線携帯端末３１０ではなくコンピュータシステム３２０側に設け、無線携帯端末３１０には、ユーザ設定情報そのものではなく、複数のユーザ設定情報から特定のものを識別するためのユーザ識別情報を記憶するユーザ識別情報記憶部３１１を設ける構成としている。
【００７１】
このように、無線携帯端末３１０がユーザ設定情報を保持しないため、実施の形態１の効果に加えて、無線携帯端末側で処理、送信されるデータ量を少なくすることができ、無線携帯端末を省力化することが可能となる。また、ユーザ識別情報自体はコンピュータシステムの環境設定を行うこととができないため、さらに高い秘匿性を確保することができる。
【００７２】
次に、本実施の形態のユーザ設定管理装置の他の構成例を図４に示す。図４において、図２および図３と同一部または相当部には同一符号を付し、詳細な説明は省略する。また、ユーザ設定管理装置４００は、無線携帯端末３１０と有料放送受信端末４２０とから構成され、有料放送受信端末４２０において、視聴許可情報記憶部２１１は視聴許可情報を記憶するための手段である。ただし、図において、有料放送受信端末４２０の、番組受信や視聴の動作に関する部分は省略した。
【００７３】
以上のように構成された本実施の形態のユーザ設定管理装置４００は、ユーザ個人の有料放送会社との視聴契約に基づく視聴許可情報が、図３に示したユーザ設定管理装置３００において、コンピュータシステム３２０に設定されていた、該コンピュータシステム３２０をユーザ個人に特化して用いるためのユーザ設定情報に相当するようになっている。したがって、その動作は実質的に図２のユーザ設定管理装置２００と同一である。
【００７４】
すなわち、無線携帯端末３１０の動作は、図３に示す無線携帯端末３１０と同様であって、有料放送受信端末４２０においては、制御部ｄ２２２が、無線携帯端末３１０から取得したユーザ識別情報に基づき、視聴許可情報記憶部２１１に記憶されていた、有料放送を視聴するための視聴許可情報のうち、前記ユーザに対応したものを取得し、視聴許可設定部２２３は、制御部ｄ２２２が取得した視聴許可情報に基づき、有料放送受信端末４２０側にて所定の有料放送が受信できるような環境を設定する。
【００７５】
（実施の形態３）
図５は、本発明の実施の形態３によるユーザ設定管理装置の構成図である。
【００７６】
図５において、図４と同一部分または相当部分は同一符号を付し、詳細な説明は省略する。また、ユーザ設定管理装置５００は、無線携帯端末３１０、有料放送受信端末５１０、および視聴許可情報記憶部２１１およびネットワーク通信部ｂ５２１を備えた視聴情報管理サーバ５２０とから構成され、有料放送受信端末５１０において、ネットワーク通信部ａ５１１は、視聴情報管理サーバ５２０のネットワーク通信部ｂ５２１と通信を行う手段、視聴情報管理サーバ５２０において、ネットワーク通信部ｂ５２１は、有料放送受信端末５１０ｂのネットワーク通信部ａ５１１と通信を行う手段である。ただし、図において、有料放送受信端末５１０の、番組受信や視聴の動作に関する部分は省略した。
【００７７】
本実施の形態のユーザ設定管理装置５００は、図４に示す実施の形態２のユーザ設定管理装置５２０において、同一の有料放送受信端末５１０内に設けられていた視聴許可情報記憶部２１１と視聴許可設定部２２３のうち、視聴許可情報記憶部２１１を独立した機器である視聴情報管理サーバ５２０に備え、視聴情報管理サーバ５２０と有料放送受信端末５１０との間をネットワーク通信部ａ５１１、ｂ５２１とで通信可能に接続したものである。ただし、上記の構成において、ユーザ設定管理装置５００は第４の本発明の装置動作環境設定システムの一例であり、視聴者管理サーバ５２０は本発明の第３装置の一例である。
【００７８】
以上のような構成を有する、本発明の実施の形態３によるユーザ設定管理装置の動作を、以下に説明する。ただし上記の各実施の形態と共通する部分は省略し、相違点を中心に述べる。
【００７９】
ユーザが、無線携帯端末３１０から、有料放送受信端末５１０へユーザ識別情報を発信し、有料放送受信端末５１０側にて制御部ｄ２２２が該ユーザ識別情報を取得するまでの動作は、実施の形態２と同様に行われる。
【００８０】
次に、制御部ｄ２２２は、取得したユーザ識別情報に基づき、視聴許可情報記憶部２１１に記憶された複数の視聴許可情報から、ユーザに対応したものを取得するが、そのための制御信号は、ネットワーク通信部ａ５１１を介して視聴情報管理サーバ５２０へ出力される。
【００８１】
視聴情報管理サーバ５２０側では、ネットワーク通信部ｂ５２１が制御命令を取得すると、これに基づき視聴許可情報記憶部２１１に記憶された、ユーザに対応した視聴許可情報を、ネットワーク通信部ｂ５２１、ａ５１１を介して、有料放送受信端末５１０へ出力する。制御部ｄ２２２は、ネットワーク通信部ａ５１１から視聴許可情報を取得すると、これを視聴許可設定部２２３へ出力する。以後の動作は、実施の形態２と同様に行われる。
【００８２】
このように、本実施の形態によれば、視聴許可情報記憶部を別構成としたことで、有料放送受信端末の構成を簡略化できる効果がある。
【００８３】
なお、上記の説明において、通信部ｄ２２２とネットワーク通信部ａ５１１とは、互いに異なる構成であるとして説明を行ったが、同一の通信部を共有してもよい。すなわち１つの通信部を時分割して動作させることにより、通信部ｄ２２２とネットワーク通信部ａ５１１の機能を適宜切り換えて行うようにしてもよい。
【００８４】
また、ネットワーク通信部ａ５１１とｂ５２１との間は、インターネットのようなコンピュータネットワークで接続されていてもよいし、公衆電話回線で接続されていてもよい。他の専用回線でも良い。また、情報の伝送は無線で行っても有線で行ってもよく、その形態に限定されることはない。
【００８５】
（実施の形態４）
図６は、本発明の実施の形態４におけるプリファレンス情報管理システムの構成図である。図６において、プリファレンス情報管理システム６００は、無線携帯端末６１０、管理装置６２０および被制御装置６３０とから構成され、無線携帯端末６１０において、ＩＤ情報記憶部６１１は、ＩＤ情報を記憶するための手段、制御部ｅ６１２はユーザからの入力を受け、第１通信手段６１３および第２通信手段６１４を介して入出力する信号を処理する手段、第１通信手段６１３は被制御装置６３０と通信するための手段、第２通信手段６１４は管理装置６２０と通信するための手段である。また、管理装置６２０において、第４通信手段６２１は無線携帯端末６１０と通信するための手段、要求信号処理部６２２は無線携帯端末６１０から送信された要求信号を処理するための手段である。また、被制御装置６３０において、第３通信手段６３１は無線携帯端末６１０と通信を行うための手段、制御部ｆ６３２は、ユーザからの入力を受けることが可能であり、また、第３通信手段を介して入力する信号に基づき動作部６３３に所定の動作命令を行う手段、動作部６３３は制御部ｆ６３２からの入力に元づき所定の動作を行う手段である。
【００８６】
このとき、上記の構成において、無線携帯端末６１０においては、ＩＤ情報記憶部６１１に、ユーザを一意に識別、特定するためのＩＤ情報が記憶されている。また、第１通信手段６１３と第３通信手段６３１との間、および第２通信手段６１４と第４通信手段６２１との間はいずれも無線によって通信が行われる。また、管理装置６２０と被制御装置６３０との間に情報のやりとりがなされることはない。ここで第１通信手段６１３と第３通信手段６３１との間の無線回線は本発明の第１無線回線に相当し、第２通信手段６１４と第４通信手段６２１との間の無線回線は本発明の第２無線回線に相当する。
【００８７】
また、無線携帯端末６１０と被制御装置６３０との間の通信は、例えばｂｌｕｅｔｏｏｔｈによって実現され、無線携帯端末６１０と管理装置６２０との間の通信は、携帯電話網によって実現されているものとする。なお、以上の構成において、プリファレンス情報管理システム６００は本発明の装置制御システム、無線携帯端末６１０は本発明の第４装置、被制御装置６３０は本発明の第５装置、管理装置６２０は本発明の第６装置のそれぞれ一例である。
【００８８】
また、図７〜９は、本実施の形態によるプリファレンス情報管理システム６００の動作を説明するためのタイムチャートである。
【００８９】
以上のような構成を有する、本発明の実施の形態４によるプリファレンス情報管理システムの動作を、図６および図７〜９を用いて、以下に説明するとともに、これにより、本発明の装置制御方法の一実施の形態について説明を行う。
【００９０】
第１に、動作例１として、図７を参照して説明を行う。動作例１は、被制御装置６３０が、無線携帯端末６１０のユーザからの命令を受けることができる自動販売機のような機器であり、管理装置６２０が、例えばクレジット会社のように、無線携帯端末６１０のユーザの銀行口座に対し、決済を行うことが可能なサーバである場合の動作である。
【００９１】
はじめに、ユーザは、被制御装置６３０を操作するための直接入力を、制御部ｆ６３２に対して行う（Ｓ７１）。
【００９２】
被制御装置６３０において、制御部ｆ６３２は、ユーザからの直接入力を受けると、これに基づき動作部６３３が行う所定の動作を特定し、その特定結果を第３通信手段６３１を介して無線携帯端末６１０へ出力する（Ｓ７２）。
【００９３】
ここでＳ７１，Ｓ７２の動作を自動販売機を例にして説明すると、動作部６３３は複数種類の商品を販売するベンダー機能を有し、Ｓ７１のユーザの直接入力は、ベンダー機能により販売される商品を特定するためのものであり、Ｓ７２の制御部ｆ６３２はユーザの入力により、複数種類の商品から、所定のものを特定し、特定結果を、商品販売の販売のための動作を確定し、無線携帯端末６１０側に決済を促すための信号を出力することになる。
【００９４】
次に、無線携帯端末６１０において、第１通信手段６１３は特定結果を受信すると、制御部ｅ６１２へ転送し、制御部ｅ６１２はこれに基づき、第２通信手段６１４を介して、管理装置６２０へ、被制御装置６３０を動作させるための要求信号を出力する。このとき、制御部ｅ６１２はＩＤ情報記憶部よりＩＤ情報を取得し、要求信号とともに被制御装置６３０へ出力する（Ｓ７３）。
【００９５】
管理装置６２０において、第４通信手段６２１は要求信号およびＩＤ情報を受信すると、要求信号処理部６２２へ転送する。要求信号処理部６２２は、ＩＤ情報を受信すると、これが有効であるかどうかの判定を行った後、要求信号を処理して、応答信号を生成し、第４通信手段６２１を介して、無線携帯端末６１０へ出力する（Ｓ７４）。なお、要求信号処理部６２２によるＩＤ情報の判定は、無線携帯端末６１０に記憶されたＩＤ情報と同一のＩＤ情報を保持して、両者を参照することにより行っても良いし、予め登録された所定のＩＤ情報以外のＩＤ情報をフィルタリングすることによって行うようにしてもよい。要するに、要求信号の処理は、無線携帯端末６１０から取得したＩＤ情報に基づいて行われる限り、その形式には限定されない。
【００９６】
ここでＳ７３，Ｓ７４の動作をクレジット会社のサーバを例にして説明すると、Ｓ７３の要求信号は、自動販売機からの決済を促すための信号に基づいた、無線携帯端末６１０から決済を要求するための信号であり、Ｓ７４の応答信号は、ＩＤ情報に基づき、決済の結果の可否を通知するための信号である。また、ＩＤ情報の内容は、クレジットカードの番号である。
【００９７】
最後に、無線携帯端末６１０において、第２通信手段６１４は、応答信号を受信すると、制御部ｅ６１２へ転送し、制御部ｅ６１２はこの応答信号の内容に基づき、第１通信手段６１３を介して、被制御装置６３０を動作させるための命令信号を出力する（Ｓ７５）。また、応答信号の内容によっては、命令信号は出力されない。
【００９８】
ここでＳ７５の動作をクレジット会社のサーバを例にして説明すると、Ｓ７４の応答信号が、クレジットカードの番号に基づき、ユーザの銀行口座から、自動販売機の商品の価格に相当する金額が引き落とされ、決済された（決済が可）旨を告げる内容のものであれば、Ｓ７５の命令信号が出力される。また、Ｓ７４の応答信号が、ユーザの銀行口座に、自動販売機の商品の価格に相当する金額がない、またはクレジットカードの番号がサーバ側に未登録または不正な番号であるため、決済されない（決済が付加）旨を告げる内容のものであれば、Ｓ７５の命令信号は出力されない。このとき、制御部ｅ６１２は、命令信号が出力されない理由を音声信号、画像、テキストデータ等の表示によりユーザに告知するようにしてもよい。
【００９９】
プリファレンス情報管理システムの動作例１は、以上の動作により完了する。
【０１００】
なお、上記の動作においては、Ｓ７１は、ユーザによる、被制御装置６３０を操作するための直接入力であったが、これは無線携帯端末６１０による第１通信手段と第３通信手段との間の通信入力であってもよい。
【０１０１】
第２に、動作例２として、図８を参照して説明を行う。動作例２は、被制御装置６３０が、例えば映画館や遊園地の自動入場ゲートのように、無線携帯端末６１０に対し、所定の動作（例えば入場ゲートの開放）を行わせるような機器であり、管理装置６２０が、例えばクレジット会社のように、無線携帯端末６１０のユーザの銀行口座に対し、決済を行うことが可能なサーバである場合の動作である。
【０１０２】
はじめに、被制御装置６３０は、無線携帯端末６１０に対し、被制御装置６３０に対する動作命令を要求するための信号を、第３通信手段を介して出力する（Ｓ８１）。
【０１０３】
無線携帯端末６１０において、第１通信手段６１３は信号を受信すると、制御部ｅ６１２へ転送し、制御部ｅ６１２はこれに基づき、第２通信手段６１４を介して、管理装置６２０へ、被制御装置６３０を動作させるための要求信号を出力する。このとき、制御部ｅ６１２はＩＤ情報記憶部よりＩＤ情報を取得し、要求信号とともに被制御装置６３０へ出力する（Ｓ８２）。
【０１０４】
管理装置６２０において、第４通信手段６２１は要求信号およびＩＤ情報を受信すると、要求信号処理部６２２へ転送する。要求信号処理部６２２は、ＩＤ情報を受信すると、これが有効であるかどうかの判定を行った後、要求信号を処理して、応答信号を生成し、第４通信手段６２１を介して、無線携帯端末６１０へ出力する（Ｓ８３）。なお、要求信号処理部６２２によるＩＤ情報の判定は、無線携帯端末６１０に記憶されたＩＤ情報と同一のＩＤ情報を保持して、両者を参照することにより行っても良いし、予め登録された所定のＩＤ情報以外のＩＤ情報をフィルタリングすることによって行うようにしてもよい。要するに、動作例１同様、要求信号の処理は、無線携帯端末６１０から取得したＩＤ情報に基づいて行われる限り、その形式には限定されない。
【０１０５】
ここでＳ８１，Ｓ８２、Ｓ８３の動作を、自動入場ゲート、クレジット会社のサーバを例にして説明すると、被制御装置６３０の動作部６３３は課金によって開放状態となるゲートであって、Ｓ８１の信号は、ユーザが自動入場ゲートに接近して入場しようとする場合に、動作部６３３の動作であるゲートを開放するための入場料を要求するための信号であり、Ｓ８２の要求信号は、自動入場ゲートからの入場料の決済を促すための信号に基づいた、無線携帯端末６１０から決済を要求するための信号であり、Ｓ８３の応答信号は、ＩＤ情報に基づき、決済の結果の可否を通知するための信号である。また、ＩＤ情報の内容は、クレジットカードの番号である。
【０１０６】
次に、無線携帯端末６１０において、第２通信手段６１４は、応答信号を受信すると、制御部ｅ６１２へ転送し、制御部ｅ６１２はこの応答信号の内容に基づき、第１通信手段６１３を介して、被制御装置６３０を動作させるための命令信号を出力する（Ｓ８４）。また、応答信号の内容によっては、命令信号は出力されない。
【０１０７】
ここでＳ８４の動作をクレジット会社のサーバを例にして説明すると、Ｓ８３の応答信号が、クレジットカードの番号に基づき、ユーザの銀行口座から、自動入場ゲートに設定された入場料に相当する金額が引き落とされ、決済された（決済が可）旨を告げる内容のものであれば、Ｓ８４の命令信号が出力される。また、Ｓ８３の応答信号が、ユーザの銀行口座に、入場料に相当する金額がない、またはクレジットカードの番号がサーバ側に未登録または不正な番号であるため、決済されない（決済が不可）旨を告げる内容のものであれば、Ｓ８４の命令信号は出力されない。このとき、動作例１同様、制御部ｅ６１２は、命令信号が出力されない理由を音声信号、画像、テキストデータ等の表示によりユーザに告知するようにしてもよい。
【０１０８】
プリファレンス情報管理システムの動作例２は、以上の動作により完了する。
【０１０９】
第３に、動作例３として、図９を参照して説明を行う。動作例３は、被制御装置６３０が、例えば有料放送受信端末のように、無線携帯端末６１０からの入力にて動作する機器であり、管理装置６２０が、例えばクレジット会社のように、無線携帯端末６１０のユーザの銀行口座に対し、決済を行うことが可能なサーバである場合の動作である。
【０１１０】
はじめに、ユーザは、無線携帯端末６１０により、第２通信手段６１４を介して、管理装置６２０へ、被制御装置６３０を動作させるための要求信号を出力する。このとき、制御部ｅ６１２はＩＤ情報記憶部よりＩＤ情報を取得し、要求信号とともに被制御装置６３０へ出力する（Ｓ９１）。
【０１１１】
管理装置６２０において、第４通信手段６２１は要求信号およびＩＤ情報を受信すると、要求信号処理部６２２へ転送する。要求信号処理部６２２は、ＩＤ情報を受信すると、これが有効であるかどうかの判定を行った後、要求信号を処理して、応答信号を生成し、第４通信手段６２１を介して、無線携帯端末６１０へ出力する（Ｓ９２）。なお、動作例１，２同様、要求信号の処理は、無線携帯端末６１０から取得したＩＤ情報に基づいて行われる限り、その形式には限定されない。
【０１１２】
無線携帯端末６１０において、第２通信手段６１４は、応答信号を受信すると、制御部ｅ６１２へ転送し、制御部ｅ６１２はこの応答信号の内容に基づき、第１通信手段６１３を介して、被制御装置６３０を動作させるための命令信号を出力する（Ｓ９３）。また、応答信号の内容によっては、命令信号は出力されない。
【０１１３】
最後に、被制御装置６３０においては、制御部ｆ６３２が第３通信手段６３１を介して命令信号を受け取ると、これに基づき制御を行い、動作部６３３が所定の動作を行う。
【０１１４】
以上のＳ９１，Ｓ９２，Ｓ９３の動作を有料放送受信端末およびクレジット会社のサーバを例にして説明すると、Ｓ９１の要求信号は、決済に基づき有料放送情報端末を動作させるための信号に基づいた、無線携帯端末６１０から決済を要求するための信号であり、Ｓ９２の応答信号は、ＩＤ情報に基づき、決済の結果の可否を通知するための信号である。また、ＩＤ情報の内容は、クレジットカードの番号である。さらに、応答信号が、クレジットカードの番号に基づき、ユーザの銀行口座から、予め契約に定められた視聴料に相当する金額が引き落とされ、決済された（決済が可）旨を告げる内容のものであれば、Ｓ９３の命令信号が出力される。また、Ｓ９２の応答信号が、ユーザの銀行口座に、入場料に相当する金額がない、またはクレジットカードの番号がサーバ側に未登録または不正な番号であるため、決済されない（決済が付加）旨を告げる内容のものであれば、Ｓ９３の命令信号は出力されない。このとき、動作例１，２同様、制御部ｅ６１２は、命令信号が出力されない理由を音声信号、画像、テキストデータ等の表示によりユーザに告知するようにしてもよい。
【０１１５】
さらに、有料情報端末としての被制御装置６３０の動作部６３３は、チャンネルの選択を行うチューニング機能やスクランブルがかかった有料放送信号を解除するため機能を有し、Ｓ９１の入力は、放送のチャンネルを選択するためのものであり、Ｓ９３の制御部ｆ６３２はユーザの命令信号により、チャンネルが選択され、その選択されたチャンネルの放送のスクランブルを解除するための動作を確定することになる。
【０１１６】
プリファレンス情報管理システムの動作例３は、以上の動作により完了する。
【０１１７】
なお、以上の動作例１〜３においては、管理装置６２０の管理者は、無線携帯端末６１０のユーザに対して、要求信号と応答信号とのやりとりに関する利用料金を設定するようにしてもよく、決済時に利用料金を手数料としてユーザの口座から引き落とすようにしても良い。
【０１１８】
以上の動作例１〜３にて説明したように、本実施の形態によるプリファレンス情報管理システムによれば、無線携帯端末６１０、管理装置６２０、被制御装置６３０を備え、管理装置６２０と被制御装置６３０とは直接通信を行うことなく、無線携帯端末６１０が管理装置６２０と通信を行って被制御装置６３０を動作させるようにしている。したがって、被制御装置６３０は管理装置６２０と通信する通信手段を備える必要がなく、また、無線携帯端末６１０と被制御装置６３０との間の通信は、ｂｌｕｅｔｏｏｔｈの安価且つ低電力な設備にて実現できるため、現在サービスや物品の提供を行う機器のほとんどに対して適用することができ、物品販売や動作制御を自動化することが可能となる。
【０１１９】
なお、管理装置６２０の例は、上記の動作例にて説明したクレジット会社のサーバに限定する必要はない。例えばインターネットサービスプロバイダであってもよい。無線携帯端末の基地局であっても良い。銀行や郵便局といった金融機関のサーバであってもよい。要するに、無線通信端末からの、ＩＤ情報を伴った要求信号に応じて、所定の処理を行って応答信号を生成して返信することができる機械であればよい。
【０１２０】
また、被制御装置６３０の例は、上記の動作例にて説明したものでなくともよい。例えばスーパーやコンビニエンスストアなどの物品販売店舗に設置されたレジスタであってもよい。実施の形態１〜３のコンピュータシステムや有料放送端末であってもよい。要するに、外部からの制御に基づき、サービスや物品を提供する、などの動作を行う機械であればよい。
【０１２１】
また、本実施の形態のプリファレンス情報管理システムの動作は、以上の動作例にて説明を行ったが、本発明の装置制御システムの動作および装置制御方法の各工程はこれに限定されるものではなく、これら動作例の一部をとりだしてもよいし、各動作例が組み合わされていても良い。少なくとも、動作例３にて説明したような、Ｓ９１、Ｓ９２，Ｓ９３に相当する動作が含まれていればよい。
【０１２２】
また、無線携帯端末６１０と被制御装置６３０との間の通信は、ｂｌｕｅｔｏｏｔｈに限らず、赤外線他の微弱電磁波を用いた通信ネットワークにより行われても良い。
【０１２３】
さらに、無線携帯端末６１０と被制御装置６３０との通信は、ｂｌｕｅｔｏｏｔｈ等のネットワークである場合は、該ネットワーク上にてＰＰＰ（Ｐｏｉｎｔ  ｔｏ  Ｐｏｉｎｔ  Ｐｒｏｔｏｃｏｌ）を用いて、被制御装置６３０が自らのＩＰアドレスを所得することにより、被制御装置６３０と各種サーバとなる管理装置６２０間の通信を、Ｐｅｅｒ−ｔｏ−Ｐｅｅｒ通信として行うように構成してもよい。
【０１２４】
上記のように構成することで、被制御装置６３０は、無線携帯端末６１０の具体的な種類など、その個別の属性を意識することなく、通信を行うことができる。すなわち、被制御装置６３０が一旦ＩＰアドレスを獲得すると、被制御装置６３０が、物理的には無線携帯端末６１０を介して、論理的にインターネットに接続された状態となる構成となる。このとき、被制御装置６３０が取得するＩＰアドレスは、無線携帯端末６１０の有するＩＤ情報に基づき生成され、無線携帯端末６１０から割り当てられるようにしてもよいし、被制御装置６３０のもつ固有の識別番号より、ＩＰアドレスを生成する構成としてもよい。
【０１２５】
また、無線携帯端末６１０の通信先、もしくは被制御装置６３０の論理的な通信先となる管理装置６２０の特定には、管理装置６２０のＩＰアドレスを用いてもよいし、また、ＤＮＳにより、ホスト名を用いて決定してもよい。
【０１２６】
さらに、個人ごとに決済を行う管理装置６２０が異なるものである場合があってもよい。この場合は、個人ごとに決められたそれぞれの管理装置６２０を無線携帯端末６１０が個別に記憶していてもよいし、インターネットサービスプロバイダにあらかじめ登録しておいてもよい。
【０１２７】
（実施の形態５）
図１０は、本発明の実施の形態５による動作管理装置と、それに対応する無線携帯端末との構成を示す図である。図に示すように、動作管理装置１０００において、信号出力部１００１は無線携帯端末６１０に対し、後述する動作確認信号を出力する手段、制御部ｇ１００２は信号出力部１００１および電力取得蓄積部１００３を制御する手段、電力取得蓄積部１００３は動作管理装置１０００の電力を供給する手段である。
【０１２８】
また、無線携帯端末６１０において、信号受信部１０１１は動作確認信号を受信する手段、制御部ｈ１０１２は無線携帯端末６１０の動作を制御する手段、電源部１０１３は無線携帯端末６１０の各部に電力を供給する手段、電力送出部１０１４は、動作管理装置１０００へ後述する微弱電力を出力する手段である。ただし、無線携帯端末６１０において、他の通信動作に関連する部分の記載は省略した。また、無線携帯端末６１０は本発明の第７装置、動作管理装置１０００は本発明の第８装置のそれぞれ一例であって、無線携帯端末６１０と動作管理装置１００とは、本発明の動作管理システムの構成の一例である。
【０１２９】
以上のような構成を有する、本発明の実施の形態５による動作管理装置の動作を、以下に説明する。
【０１３０】
動作管理装置１０００は、制御部ｇ１００２の制御に基づき、信号出力部１００１から動作確認信号を出力している。この動作確認信号は微弱電波であり、かなり短い距離、例えば０〜３メートル前後にまでしか有効到達距離を持たない。
【０１３１】
無線携帯端末６１０においては、動作管理装置１０００から出力された動作確認信号は、信号受信部１０１１に受信されると、制御部ｈ１０１２にてその受信動作が確認される。制御部ｈ１０１２は、受信動作を確認している限り、電源部１０１３から、無線携帯端末６１０の図示しない各部への電力供給を行う。
【０１３２】
次に、動作管理装置１０００と無線携帯端末６１０との間の距離が離れて、動作管理装置からの動作確認信号が、無線携帯端末６１０の信号受信部１０１１にて受信されなくなった場合、制御部ｈ１０１２はその非受信状態を確認すると、電源部１０１３からの電力供給を遮断し、無線携帯端末６１０の図示しない各部への電力供給を停止し、無線携帯端末６１０端末が動作できないようにする。
【０１３３】
このように、本実施の形態によれば、動作管理装置からの動作確認信号の受信範囲内でのみ無線携帯端末の電源がオンとなるように制御を行うようにしたため、ユーザは動作管理装置を常備していることにより、たとえば無線携帯端末をどこかに置き忘れるなどして、他人が使用できるような状態になった場合でも、外部の人間が該無線携帯端末を使用することを防止することができる。
【０１３４】
また、このような動作管理装置１０００と無線携帯端末６１０とを、上記の実施の形態１〜３のユーザ設定管理装置または実施の形態４のプリファレンス情報管理システムの無線携帯端末、すなわち本発明の第１装置または第４装置を本発明の動作管理システムにて実現することにより、ユーザ設定情報やＩＤ情報の秘匿性をさらに強固なものとすることが可能となる。このとき、電源部１０１３からの電力の供給を遮断するばかりでなく、無線携帯端末１０１０の端末機能など、特定の機能の動作だけがオフになるような部分的な制御を行ってもよい。
【０１３５】
なお、動作管理装置１０００の電源については、電力取得蓄積部１００３をリチウム電池、ボタン電池等のバッテリーとして実現しても良いし、図１０に示すように、電力取得蓄積部１００３は、無線携帯端末６１０の電力送出部１０１４から送出される微弱電力を取得して、これを蓄えて電力とし、制御部ｇ１００２に供給するようにしてもよい。
【０１３６】
また、動作管理装置１０００は、ユーザが常時無線携帯端末６１０の動作確認信号の到達範囲にいられるように、ネクタイピンや腕時計といった装飾品に組み込んだ構成として実現してもよい。
【０１３７】
また、上記の構成においては、制御部ｇ１００２は動作管理装置１０００に組み込まれているものして説明を行ったが、本発明の動作管理システムにおいては、これと同等の機能を制御部ｈ１０１２にて実現するようにしてもよい。要するに、本発明の動作管理システムの、第８装置が、第７装置から所定の範囲内に位置している場合は、第７装置の動作状態がオンとなり、第７装置から所定の範囲外に位置している場合は、第７装置の動作状態がオフとなる動作の制御は、第７装置、第８装置の両方またはいずれか一方にて行われるようにしてもよい。
【０１３８】
なお、上記の実施の形態において、信号出力部１００１は、本発明の発振器の一例である。
【０１３９】
なお、上記の各実施の形態における無線携帯端末は、その一例として携帯電話、ＰＤＡ、ポケットベルにて実現しても良い。
【０１４０】
また、上記の各実施の形態におけるＩＤ情報は、携帯電話やポケットベルの場合の場合で有れば電話番号であってもよい。ただし、携帯電話であれば、機種を交換したり、電話会社を変更する場合に電話番号が変更することがあるため、識別情報を新たに設定するのがより望ましい。
【０１４１】
また、本発明は、上述した本発明の第２装置、装置動作環境設定システム、装置制御システム、第４装置、第５装置、動作管理システム、第８装置の全部または一部の手段（または、装置、素子、回路、部等）の機能をコンピュータにより実行させるためのプログラムであって、コンピュータと協働して動作するプログラムである。
【０１４２】
また、本発明は、上述した本発明の装置制御方法の全部または一部のステップ（または、工程、動作、作用等）の動作をコンピュータにより実行させるためのプログラムであって、コンピュータと協働して動作するプログラムである。
【０１４３】
なお、上記の説明において、本発明の一部の手段（または、装置、素子、回路、部等）、本発明の一部のステップ（または、工程、動作、作用等）とは、それらの複数の手段またはステップの内の、幾つかの手段またはステップを意味し、あるいは、一つの手段またはステップの内の、一部の機能または一部の動作を意味するものである。
【０１４４】
さらに、本発明の一部の装置（または、手段、素子、回路、部等）とは、それらの複数の装置またの内の、幾つかの装置を意味し、あるいは、一つの前記装置の内の、一部の手段（または、素子、回路、部等）を意味し、あるいは、前記一つの手段の内の、一部の機能を意味するものである。
【０１４５】
また、本発明のプログラムを記録した、コンピュータに読みとり可能な記録媒体も本発明に含まれる。
【０１４６】
また、本発明のプログラムの一利用形態は、コンピュータにより読み取り可能な記録媒体に記録され、コンピュータと協働して動作する態様であっても良い。
【０１４７】
また、本発明のプログラムの一利用形態は、伝送媒体中を伝送し、コンピュータにより読みとられ、コンピュータと協働して動作する態様であっても良い。
【０１４８】
また、本発明のデータ構造としては、データベース、データフォーマット、データテーブル、データリスト、データの種類などを含む。
【０１４９】
記録媒体としては、ＲＯＭ等が含まれ、伝送媒体としては、インターネット等の伝送媒体、光・電波・音波等が含まれる。
【０１５０】
したがって、以上説明した様に、本発明の構成は、ソフトウェア的に実現しても良いし、ハードウェア的に実現しても良い。
【産業上の利用可能性】
【０１５１】
発明にかかる装置動作環境設定システム、装置制御システム、装置制御方法、動作管理システムは、ソフトウェアのセットアップ状態や、視聴許可番組の情報などの、ユーザ設定、変更などを行うことにより、情報処理を行う装置の動作環境のユーザ毎の設定の秘匿性および簡便性を高めることが可能となる効果、またはユーザ個人を特定する情報を秘匿性を保ちながら容易に保持可能であり、制御対象となる装置を簡便に操作することが可能な効果を有し、無線携帯端末や、無線携帯端末を利用して、放送受信端末自動販売機などの被制御装置の制御を行う装置制御システム等として有用である。
【符号の説明】
【０１５２】
１００、２００，３００，４００  ５００  ユーザ設定管理装置
１１０，２１０，３１０，６１０，１０１０  無線携帯端末
１１１  ユーザ設定記憶部
１１２  制御部ａ
１１３  無線通信部ａ
１２０、３２０  コンピュータシステム
１２１  無線通信部ｂ
１２２  制御部ｂ
１２３  ユーザ環境設定部
２１１  視聴許可情報記憶部
２１２  制御部ｃ
２１３  無線通信部ｃ
２２０，４２０，５１０  有料放送受信端末
２２１  無線通信部ｄ
２２２  制御部ｄ
２２３  視聴許可設定手段
３１１  ユーザ識別情報記憶部
５１１  ネットワーク通信部ａ
５２１  ネットワーク通信部ｂ
６００  プリファレンス情報管理システム
６１１  ＩＤ情報記憶部
６１２  制御部ｅ
６１３  第１通信手段
６１４  第２通信手段
６２１  第４通信手段
６２２  要求信号処理部
６３０  被制御装置
６３１  第３通信手段
６３２  制御部ｆ
６３３  動作部
１０００  動作管理装置
１００１  信号出力部
１００２  制御部ｇ
１００３  電力取得蓄積部
１０１１  信号受信部
１０１２  制御部ｈ
１０１３  電源部
１０１４  電力送出部
【図１】
2011055487.tif 000003
【図２】
2011055487.tif 000004
【図３】
2011055487.tif 000005
【図４】
2011055487.tif 000006
【図５】
2011055487.tif 000007
【図６】
2011055487.tif 000008
【図７】
2011055487.tif 000009
【図８】
2011055487.tif 000010
【図９】
2011055487.tif 000011
【図１０】
2011055487.tif 000012
【図１１】
2011055487.tif 000013